(57)【要約】【課題】無線通信の受信感度の低下を招くことなく、有線ＬＡＮ用のネットワーク通信部を備える無線通信装置を提供する。【解決手段】複数の通信チャネルのうち、選択された１つの通信チャネルを使用してモニタ装置４と無線通信を行う無線通信部１１を備えた無線通信装置３において、制御部１０をコンピュータネットワークに有線接続するネットワーク通信部１２を備えさせる。そして、無線通信部１１が、ネットワーク通信部１２の通信ノイズの影響を受ける所定の通信チャネルを使用しているときに、ネットワーク通信部１２にＬＡＮケーブル１９が接続されると、ＬＡＮケーブル１９の接続を制御部１０で検出し、無線通信部１１の通信チャネルを所定の通信チャネル以外の通信チャネルに切り替えるようにする。【選択図】図２
2016029768.tif 000002
【特許請求の範囲】
【請求項１】
複数の通信チャネルのうち、選択された１つの通信チャネルを使用してモニタ装置と無線通信を行う無線通信装置であって、
マイコンを有する制御部と、前記モニタ装置との無線通信用の無線通信部と、前記制御部をコンピュータネットワークに有線接続するためのネットワーク通信部とを備えた無線通信装置において、
前記制御部は、前記無線通信部が所定の通信チャネルを使用しているときに、前記ネットワーク通信部にネットワーク通信用の有線ケーブルが接続されたことを検出したときは、前記無線通信部の通信チャネルを前記所定の通信チャネル以外の通信チャネルに切り替える制御構成を備えている
ことを特徴とする無線通信装置。
【請求項２】
住宅設備機器と電源重畳通信方式で有線通信を行うための電源重畳通信部を備え、この電源重畳通信部が前記制御部と通信接続されていることを特徴とする請求項１に記載の無線通信装置。
【請求項３】
前記住宅設備機器は、太陽電池発電装置から出力される直流電力を電力系統に連系可能な交流電力に変換する電力変換装置とされていることを特徴とする請求項２に記載の無線通信装置。
【請求項４】
前記制御部は、前記無線通信部の通信チャネルを前記所定の通信チャネル以外の通信チャネルに切り替える前に、前記ネットワーク通信部による通信を停止させ、通信チャネルの切り替え後に、前記ネットワーク通信部による通信を再開させる制御構成を備えていることを特徴とする請求項１から３のいずれかに記載の無線通信装置。
【請求項５】
前記所定の通信チャネルは、前記ネットワーク通信部で発生する通信ノイズによって前記無線通信部の受信感度が低下するチャネルであることを特徴とする請求項１から４のいずれかに記載の無線通信装置。
【発明の詳細な説明】
【技術分野】
【０００１】
この発明は無線通信装置に関し、より詳細には、太陽電池パネルの発電量などの情報を外部のモニタ装置に無線送信するための無線通信装置に関する。
【背景技術】
【０００２】
近年、太陽電池パネルで発電された電力を需要者宅内（以下、「宅内」と称する。）で使用できるようにした家庭向けの太陽光発電システムが普及している。この種の太陽光発電システムは、周知のとおり、太陽電池パネルで発電された直流電力を、パワーコンディショナ（電力変換装置）で電力系統に連系可能な交流電力に変換して宅内に供給するように構成されいる。
【０００３】
そして、このような太陽光発電システムでは、太陽電池パネルの発電量など、パワーコンディショナ２で得られる情報を宅内で確認できるようにするモニタ装置が提案されており（たとえば、特許文献１参照）、最近では、これらの情報を無線通信装置を使ってモニタ装置に送信することも提案されている。
【０００４】
一方、近年、宅内の電気機器（たとえば、照明機器やエアコンなど）の電力使用量や動作状態をパソコンやタブレット端末などの制御装置を用いて可視化（いわゆる見える化）したり、あるいは遠隔操作したりする家庭用エネルギ管理システム（ＨＥＭＳ：Home Energy Management System）が提案されている。
【０００５】
家庭用エネルギ管理システムでは、需要者宅内の電気機器とＨＥＭＳコントローラ（制御装置）とをＬＡＮ（Local Area Network）などのコンピュータネットワークで通信接続し、ＨＥＭＳコントローラに電気機器の電力使用量や動作状態を表示させたり、ＨＥＭＳコントローラを用いて電気機器の制御（たとえば、照明機器の点灯／消灯の切り替えや、エアコンの運転オン／オフの切り替え、さらにはエアコンの空調設定温度の変更など）を行えるようにしている（たとえば、特許文献２参照）。
【先行技術文献】
【特許文献】
【０００６】
【特許文献１】特開２０１３−９９０５８号公報
【特許文献２】特開２０１３−２０４８８号公報
【発明の概要】
【発明が解決しようとする課題】
【０００７】
出願人は、このような現状に鑑みて、モニタ装置に情報を送信する無線通信装置に有線ＬＡＮ用（ＨＥＭＳ用）のネットワーク通信部を設けることを検討しているが、そのような構成には以下のような問題があることが判明した。
【０００８】
すなわち、有線ＬＡＮ用のネットワーク通信部は、高速でデータ通信を行うことから、通信に伴う微弱な電気的ノイズ（通信ノイズ）を発生させる。そのため、無線通信装置において、無線通信を行う無線通信部とネットワーク通信部とを一つの筐体内に収容すると、ネットワーク通信部で発生した通信ノイズの影響を受けて無線通信部の受信感度が低下する場合があった。
【０００９】
出願人が実験したところでは、無線通信部として９２０ＭＨｚ帯の電波を使用する場合、特定の周波数帯域を使用する一部の通信チャネルにおいて、ネットワーク通信部の通信ノイズの影響を受けて受信感度が低下することが判明した。
【００１０】
なお、このような受信感度の低下を防止する方法として、無線通信装置で使用する通信チャネルのうちから、通信ノイズの影響を受ける通信チャネルを予め除外しておくことが考えられるが、それでは使用可能な通信チャネル数が減少し、他の無線通信装置（たとえば、隣接する需要者宅内の無線通信装置）と電波干渉を起こす可能性が増えることになり、好ましくない。
【００１１】
本発明は、このような従来の問題点に鑑みてなされたものであって、その目的とするところは、無線通信の受信感度の低下を招くことなく、有線ＬＡＮ用のネットワーク通信部を備える無線通信装置を提供することにある。
【課題を解決するための手段】
【００１２】
上記目的を達成するため、本発明の請求項１に記載の無線通信装置は、複数の通信チャネルのうち、選択された１つの通信チャネルを使用してモニタ装置と無線通信を行う無線通信装置であって、マイコンを有する制御部と、上記モニタ装置との無線通信用の無線通信部と、上記制御部をコンピュータネットワークに有線接続するためのネットワーク通信部とを備えた無線通信装置において、上記制御部は、上記無線通信部が所定の通信チャネルを使用しているときに、上記ネットワーク通信部にネットワーク通信用の有線ケーブルが接続されたことを検出したときは、上記無線通信部の通信チャネルを上記所定の通信チャネル以外の通信チャネルに切り替える制御構成を備えていることを特徴とする。
【００１３】
この請求項１に係る無線通信装置では、無線通信部が所定の通信チャネルを使用しているときに、ネットワーク通信部に有線ケーブルが接続されると、制御部が有線ケーブルの接続を検出して、無線通信部の通信チャネルを自動的に他の通信チャネルに切り替える。そのため、所定の通信チャネルとして、ネットワーク通信部で発生する通信ノイズによって受信感度が低下するチャネルを設定しておくことにより、有線ケーブルの接続に伴う無線通信部の受信感度の低下を回避することができる。
【００１４】
本発明の請求項２に記載の無線通信装置は、請求項１に記載の無線通信装置において、住宅設備機器と電源重畳通信方式で有線通信を行うための電源重畳通信部を備え、この電源重畳通信部が上記制御部と通信接続されていることを特徴とする。
【００１５】
この請求項２に係る無線通信装置では、制御部は、住宅設備機器から電源重畳通信方式の有線通信で与えられる情報を、無線通信によってモニタ装置に送信できるので、モニタ装置において住宅設備機器の情報を表示・確認することができる。
【００１６】
本発明の請求項３に記載の無線通信装置は、請求項２に記載の無線通信装置において、上記住宅設備機器は、太陽電池発電装置から出力される直流電力を電力系統に連系可能な交流電力に変換する電力変換装置とされていることを特徴とする。
【００１７】
この請求項３に係る無線通信装置では、電力変換装置から電源重畳通信方式の有線通信で与えられる情報を、無線通信によってモニタ装置に送信できるので、モニタ装置において太陽電池発電装置の発電量などの情報を表示・確認することができる。
【００１８】
本発明の請求項４に記載の無線通信装置は、請求項１から３のいずれかに記載の無線通信装置において、上記制御部は、上記無線通信部の通信チャネルを上記所定の通信チャネル以外の通信チャネルに切り替える前に、上記ネットワーク通信部による通信を停止させ、通信チャネルの切り替え後に、上記ネットワーク通信部による通信を再開させる制御構成を備えていることを特徴とする。
【００１９】
この請求項４に係る無線通信装置では、無線通信部の通信チャネルを所定の通信チャネル以外の通信チャネルに切り替えるにあたり、通信チャネルの切り替え中は、制御部がネットワーク通信部による通信を停止させるので、通信チャネルの切り替え時に、ネットワーク通信部から発生する電気的な通信ノイズの影響を受けることが回避される。そのため、通信チャネルの切り替えを確実に行うことができる。
【００２０】
本発明の請求項５に記載の無線通信装置は、請求項１から４のいずれかに記載の無線通信装置において、上記所定の通信チャネルは、上記ネットワーク通信部で発生する通信ノイズによって上記無線通信部の受信感度が低下するチャネルであることを特徴とする。
【００２１】
この請求項５に係る無線通信装置では、ネットワーク通信部に有線ケーブルが接続されたときにチャネルの切り替えが行われる通信チャネルとして、ネットワーク通信部で発生する通信ノイズにより無線通信部の受信感度が低下するチャネルが選択されているので、有線ケーブルの接続に伴う無線通信部の受信感度の低下を確実に回避することができる。
【発明の効果】
【００２２】
本発明によれば、ネットワーク通信部で発生する通信ノイズによって受信感度が低下する通信チャネルを無線通信部が使用している場合であっても、ネットワーク通信部に有線ケーブルが接続されると、無線通信部の通信チャネルが自動的に他の通信チャネルに切り替えられるので、有線ケーブルの接続に伴って無線通信部の受信感度が低下することが回避される。
【００２３】
また、ネットワーク通信部に有線ケーブルが接続されない場合には、無線通信部の通信チャネルの切り替えは行われないので、無線通信部において使用可能な通信チャネル数を減らすことなく、有線ケーブルの接続に伴う無線通信部の受信感度の低下を回避することができる。
【図面の簡単な説明】
【００２４】
【図１】本発明に係る無線通信装置を用いた太陽光発電システムの概略構成の一例を示すブロック図である。
【図２】同無線通信装置の概略構成の一例を示すブロック図である。
【図３】同無線通信装置における通信チャネルの切り替え手順の一例を示すフローチャートである。
【発明を実施するための形態】
【００２５】
以下、本発明の実施形態を図面に基づいて説明する。
図１は、本発明に係る無線通信装置を用いた太陽光発電システムの概略構成を示している。この図１に示す太陽光発電システムは、太陽電池パネル１と、パワーコンディショナ２と、無線通信装置３と、モニタ装置４とを主要部として構成されている。
【００２６】
太陽電池パネル１は、太陽光を利用して発電を行う太陽電池発電装置であって、太陽からの日射を受けて直流電力を発電する太陽電池を複数備えて構成されており、太陽電池パネル１で発電された直流電力が電源線５を介してパワーコンディショナ２に入力されるようになっている。
【００２７】
パワーコンディショナ２は、太陽電池パネル１で発電された直流電力を、図示しない電力系統（たとえば、単相交流３線式１００／２００Ｖの商用電源）に連系可能な交流電力に変換する電力変換装置である。このパワーコンディショナ２は、周知のとおり、太陽電池パネル１から入力される直流電力の電圧を昇圧するＤＣ／ＤＣコンバータと、ＤＣ／ＤＣコンバータで昇圧された直流電力を電力系統に連系可能な交流電力（本実施形態では、単相交流３線式１００／２００Ｖ）に変換するＤＣ／ＡＣインバータとを備えており（いずれも図示せず）、ＤＣ／ＡＣインバータから出力される交流電力が宅内の配電盤に供給されるようになっている。
【００２８】
そして、このパワーコンディショナ２には、上述したＤＣ／ＤＣコンバータおよびＤＣ／ＡＣインバータを含むパワーコンディショナ２の各部を制御する制御部（以下、「ＰＣ制御部」と称する。）７と、ＰＣ制御部７を２芯通信線６を介して外部の無線通信装置３と通信接続する電源重畳通信部（以下、「ＰＣ側電源重畳通信部」）と称する。）８とが備えられている。
【００２９】
ＰＣ制御部７は、制御中枢としてマイコンを備えた制御装置であって、図示しない各種センサ類や遠隔操作装置（リモコン）などから得られる情報に基づいて、パワーコンディショナ２の各部の動作を制御するように構成されている。そして、このパワーコンディショナ２の制御に関連して、ＰＣ制御部７は、たとえば、ＤＣ／ＤＣコンバータへの入力電流および入力電圧を検出するセンサから得られる情報に基づいて入力電力（太陽電池パネル１の発電電力）を測定するとともに、ＤＣ／ＡＣインバータからの出力電流および出力電圧を検出するセンサから得られる情報に基づいて出力電力を測定するように構成されている。さらに、ＰＣ制御部７は、分電盤からの出力電流を検出するセンサから得られる情報およびＤＣ／ＡＣインバータからの出力電圧を検出するセンサから得られる情報に基づいて宅内の消費電力を測定するように構成されている。
【００３０】
ＰＣ側電源重畳通信部８は、２芯通信線６を介して無線通信装置３に電源供給（たとえば、直流１５Ｖまたは直流１２Ｖの供給）を行うとともに、無線通信装置３とデータ通信を行う通信装置であって、ＰＣ制御部７と通信接続されており、ＰＣ制御部７は、このＰＣ側電源重畳通信部８を介して無線通信装置３とデータのやり取りができるように構成されている。
【００３１】
無線通信装置３は、パワーコンディショナ２で得られる各種情報を外部のモニタ装置４に無線送信するための通信装置であって、図２に示すように、制御部１０と、無線通信部１１と、ネットワーク通信部１２と、電源重畳通信部１３と、電源部１４とを主要部として構成されている。
【００３２】
制御部１０は、制御中枢としてマイコンを備えた制御装置であって、マイコンの制御プログラムに従って、無線通信装置３の各部の制御、電源重畳通信部１３を介して上記パワーコンディショナ２のＰＣ制御部７とのデータ通信、無線通信部１１を介してモニタ装置４とのデータ通信およびネットワーク通信部１２を介してＨＥＭＳコントローラ（図示せず）とのデータ通信を行うように構成されている。なお、制御部１０に備えられるマイコンは、周知の構成を備えたマイクロコンピュータで構成されており、ＣＰＵ（中央処理装置）、制御プログラムおよび制御データを記憶したＲＯＭ、データの一時的な記憶を行うＲＡＭ（いずれも図示せず）などを備えている。
【００３３】
無線通信部１１は、モニタ装置４と無線通信可能な通信装置であって、本実施形態では、この無線通信部１１として、９２０ＭＨｚ帯の電波を使用する無線送受信装置が用いられている。具体的には、この無線通信部１１は、複数の通信チャネル（たとえば、１０チャネル）を備え、これら複数の通信チャネルのうちから選択された１つの通信チャネルを用いてモニタ装置４と無線通信を行うように構成されている。
【００３４】
ここで、無線通信部１１が使用する通信チャネルは、無線通信装置３の出荷時などに、無線通信部１１が使用可能な通信チャネルのうちから任意の１つのチャネルが初期設定される。初期設定された通信チャネルの情報は制御部１０にも共有される。すなわち、制御部１０は電源投入などによって動作を開始すると、無線通信部１１との通信により無線通信部１１が無線通信に使用する通信チャネルの情報を取得して、ＲＡＭなどの記憶手段に記憶するようになっている。
【００３５】
なお、無線通信部１１に初期設定された通信チャネルは、制御部１０からの制御信号に基づいて適宜変更できるように構成されている。すなわち、無線通信部１１は、制御部１０から通信チャネルの変更（通信チャネルの切り替え）を要求する制御信号を受信すると、当該制御信号において指定された通信チャネルを用いて無線通信を行うようになっている。
【００３６】
また、使用する通信チャネルの初期設定にあたっては、当該無線通信部１１を特定するための送信ＩＤも併せて初期設定され、これら送信ＩＤおよび通信チャネルの情報は、無線通信装置３の筐体の適所（たとえば、筐体背面など）に表示（記載）され、モニタ装置４の通信設定時に、相手先となる無線通信装置３の送信ＩＤおよび通信チャネルの情報として利用できるようになっている。
【００３７】
ネットワーク通信部１２は、制御部１０を外部のコンピュータネットワークに有線接続するための通信インターフェース装置であって、本実施形態では、このネットワーク通信部１２は、制御部１０をＨＥＭＳの標準プロトコル（たとえば、エコーネットコンソーシアムが策定する「ECHONET Lite」）に対応した有線ＬＡＮ（Local Area Network）に接続するインターフェース装置で構成されている。
【００３８】
具体的には、このネットワーク通信部１２は、制御部１０のマイコンで読み取り可能なデジタル信号とＬＡＮケーブル１９で伝送可能なアナログ信号とを相互変換するＰＨＹチップ１６と、ＰＨＹチップ１６とＬＡＮコネクタ１８とを電気的に絶縁するパルストランス１７と、ＬＡＮケーブル１９のプラグ１９ａを接続するためのＬＡＮコネクタ（ジャック）１８とを主要部として構成されており、ＬＡＮケーブル１９を介して受信したアナログ信号は、ＬＡＮコネクタ１８、パルストランス１７を介してＰＨＹチップ１６でデジタル信号に変換されて制御部１０に入力される。また、制御部１０から出力されるデジタル信号は、ＰＨＹチップ１６でアナログ信号に変換され、パルストランス１７、ＬＡＮコネクタ１８を介してＬＡＮケーブル１９に送信されるようになっている。
【００３９】
電源重畳通信部１３は、ＰＣ側電源重畳通信部８との間でデータ通信を行うための通信装置であって、制御部１０と通信接続されている。すなわち、制御部１０は、この電源重畳通信部１３を介してパワーコンディショナ２（具体的には、ＰＣ制御部７）と通信接続されている。なお、２芯通信線６を介してパワーコンディショナ２から供給される直流電源は、電源重畳通信部１３で通信データと分離され、電源部１４に供給される。
【００４０】
電源部１４は、無線通信装置３の各部に駆動電源を供給する電源装置であって、電源重畳通信部１３から供給される直流電源から各部に供給する電源（たとえば、直流３．３Ｖ）を生成するＤＣ／ＤＣコンバータを備えている。なお、図２において、１５は２芯通信線６を無線通信装置３に接続するためのコネクタを示している。
【００４１】
モニタ装置４は、無線通信装置３から送信される情報を受信して表示する表示装置であって、無線通信装置３との間で無線通信を行う無線通信部（図示せず）と、この無線通信部で受信した情報を表示する表示部２０と、モニタ装置４で表示する事項の選択や後述する通信設定などを行うための操作部（図示せず）と、モニタ装置４の各部を制御する制御部（図示せず）とを主要部として備えている。なお、表示部２０には、液晶パネルなど、文字や図形を任意に表示できる表示装置が用いられるが、この表示部２０に感圧式のタッチパネルを採用することにより、表示部と操作部を兼用させることも可能である。
【００４２】
次に、このように構成された無線通信装置３とモニタ装置４の通信手順について説明する。
【００４３】
上述したように、無線通信装置３には、送信ＩＤおよび使用する通信チャネルが初期設定されていることから、モニタ装置４を無線通信装置３と通信接続する場合、モニタ装置４の操作部を操作して、該モニタ装置４に通信相手となる無線通信装置３の送信ＩＤと使用する通信チャネルの設定を行う（通信設定）。
【００４４】
これにより、無線通信装置３とモニタ装置４とが所定の手順に従ってペアリングを行い、無線通信装置３とモニタ装置４との間で無線通信が開始される。したがって、この状態で、たとえば、モニタ装置４の操作部において「太陽電池パネル１の発電量の表示」を要求する操作を行うと、モニタ装置４から無線通信装置３を介してパワーコンディショナ２に対して「太陽電池パネル１の発電量の情報」を要求する通信が行われ、この要求を受け付けたパワーコンディショナ２から「太陽電池パネル１の発電量の情報」が無線通信装置３を介してモニタ装置４に送信され、モニタ装置４の表示部２０に「太陽電池パネル１の発電量」が表示される。
【００４５】
次に、無線通信装置３とモニタ装置４が通信接続された状態で、ネットワーク通信部１２にＬＡＮケーブル１９が接続されたときの動作について説明する。
【００４６】
ここで、ネットワーク通信部１２にＬＡＮケーブル１９が接続されると、ＬＡＮケーブル１９を介してＨＥＭＳコントローラと制御部１０とが通信接続され、ＨＥＭＳコントローラと制御部１０との間でデータのやり取りが開始されるが、このときのデータのやり取りは高速で行われることから、データのやり取りに伴ってネットワーク通信部１２の各部から通信ノイズＮが発生する（図２参照）。
【００４７】
この通信ノイズＮは、無線通信部１１の通信チャネルのうちの特定の通信チャネル（特定の周波数帯域を使用する通信チャネル）の受信感度を低下させる原因となることから、本実施形態に示す無線通信装置３では、ネットワーク通信部１２の通信に伴って発生する通信ノイズＮの影響を受けて受信感度が低下する通信チャネルをあらかじめ実験などによって特定しておき、この特定した通信チャネル（１または複数の通信チャネル）を要変更チャネル（所定の通信チャネル）として制御部１０に記憶させておくように構成されている。
【００４８】
そして、本実施形態に示す無線通信装置３では、ＬＡＮコネクタ１８にＬＡＮケーブル１９が接続されると、制御部１０が、図３に示す手順に従って、無線通信部１１で使用中の通信チャネルが要変更チャネルであるかを確認するなどの一連の処理を実行するようになっている。
【００４９】
すなわち、制御部１０は、ＬＡＮコネクタ１８にＬＡＮケーブル１９が接続されたか否かを判断する（図３ステップＳ１参照）。具体的には、ＬＡＮコネクタ１８にＬＡＮケーブル１９が接続されると、制御部１０はＨＥＭＳコントローラとの通信を開始するので、この通信開始によって、制御部１０はＬＡＮケーブル１９の接続があると判断する（ＬＡＮケーブル１９の接続を検出する）。なお、ＨＥＭＳコントローラとの通信がなければ、制御部１０は、ＬＡＮケーブル１９は接続されていないと判断して処理を終了する。
【００５０】
そして、ＬＡＮケーブル１９の接続があると判断すると、次に、制御部１０は、無線通信部１１で使用中の通信チャネルが要変更チャネルであるか否かを判断する（図３ステップＳ２参照）。上述したように、制御部１０は、無線通信部１１が使用する通信チャネルの情報を無線通信部１１と共有しているので、その情報に基づいて、無線通信部１１が使用する通信チャネルが要変更チャネルであるか否かを判断する。
【００５１】
そして、無線通信部１１が使用する通信チャネルが要変更チャネルである場合、制御部１０は、無線通信部１１の通信チャネルを要変更チャネル以外の通信チャネルに切り替える処理を行う。
【００５２】
具体的には、制御部１０は、まずＰＨＹチップ１６の動作を停止させて（図３ステップＳ３参照）、ネットワーク通信部１２による通信を停止させる。そして、ネットワーク通信部１２の通信が停止している状態で、無線通信部１１に対して、通信チャネルを要変更チャネル以外の通信チャネルに変更する（切り替える）ことを要求する制御信号を出力し、無線通信部１１の通信チャネルの切り替えを行う（図３ステップＳ４参照）。
【００５３】
ここで、この通信チャネルの切り替えは、たとえば、あらかじめ設定された固定の通信チャネルに変更させたり、あるいは、使用中の要変更チャネル（Ｘチャネル）を＋αの通信チャネル（（Ｘ＋α）チャネル）に変更させるなどの方法が適宜採用され得る。
【００５４】
これに対し、無線通信部１１は、制御部１０から通信チャネルの切り替え要求を受け付けると、新たに設定される変更後の通信チャネルの情報をモニタ装置４に送信し、これに対するモニタ装置４からの応答信号（ＡＣＫ信号）を受信した後に通信チャネルを変更し、以後は、変更後の通信チャネルでモニタ装置４と通信を行う。
【００５５】
そして、このようにして通信チャネルの切り替えが完了すると、制御部１０は、ＰＨＹチップ１６の動作を再開させて、ネットワーク通信部１２による通信を再開させる（図３ステップＳ５参照）。
【００５６】
これにより、無線通信部１１は、ＬＡＮケーブル１９の接続に伴ってネットワーク通信部１２で発生する通信ノイズＮの影響を受けずに、モニタ装置４との間で無線通信を行うことができる。
【００５７】
このように、本発明に係る無線通信装置３によれば、無線通信部１１の通信チャネルとして、ＬＡＮケーブル１９の接続によってネットワーク通信部１２に発生する通信ノイズＮの影響を受けて受信感度が低下する通信チャネルを使用している場合であっても、ネットワーク通信部１２にＬＡＮケーブル１９が接続されると、無線通信部１１の通信チャネルが自動的に通信ノイズの影響を受けない（受信感度が低下しない）他の通信チャネルに切り替えられるので、ＬＡＮケーブル１９の接続に伴って無線通信部１１の受信感度が低下することが回避される。
【００５８】
なお、上述した実施形態は本発明の好適な実施態様を示すものであって、本発明はこれに限定されることなく発明の範囲内で種々の設計変更が可能である。
【００５９】
たとえば、上述した実施形態では、無線通信装置３が２芯通信線６を介してパワーコンディショナ２と通信接続される構成を示したが、無線通信装置３は電源重畳通信方式で有線通信が可能な住宅設備機器であれば、パワーコンディショナ２以外の住宅設備機器（たとえば、給湯装置や温水暖房装置など）と２芯通信線を介して通信接続されていてもよい。
【００６０】
また、上述した実施形態では、無線通信装置３のネットワーク通信部１２が、ＬＡＮケーブル１９を介してＨＥＭＳコントローラと接続される場合を示したが、ＬＡＮケーブル１９を介して接続可能な装置であれば、ＨＥＭＳコントローラ以外の装置が接続されていてもよい。
【符号の説明】
【００６１】
１              太陽電池パネル（太陽電池発電装置）
２              パワーコンディショナ（電力変換装置）
３              無線通信装置
４              モニタ装置
５              電源線
６              ２芯通信線
７              ＰＣ制御部（パワーコンディショナの制御部）
８              パワーコンディショナの電源重畳通信部
１０            制御部
１１            無線通信部
１２            ネットワーク通信部
１３            電源重畳通信部
１４            電源部
１９            ＬＡＮケーブル（有線ケーブル）
【図１】
2016029768.tif 000003
【図２】
2016029768.tif 000004
【図３】
2016029768.tif 000005